(57)【特許請求の範囲】
【請求項１】
紙層と、この紙層の両面に設けられた熱可塑性樹脂層を有する胴部形成用ブランクから形成された筒状の胴部と；
紙層と、この紙層の両面に設けられた熱可塑性樹脂層を有し、前記胴部の下方の開口をシールする底面部と；
前記胴部の上方の開口をシールする蓋材と；
を備えたカップ型紙容器であって、
前記胴部形成用ブランクの紙層の側端縁は、該紙層の両面に設けられた前記熱可塑性樹脂層によって覆われており、
前記胴部は、前記胴部形成用ブランクの両側端縁同士が重ね合わされてシールされた胴部貼り合わせ部と、
前記胴部の下端部を内側に折り返すことにより形成された下部折り返し部と、
前記胴部の上端部を外側に１回半以上巻き込んでから平らに押し潰して形成されたフランジ部と、
を有し、
前記フランジ部と前記蓋材とは、開封可能にシールされており、
前記底面部は、下方に折り曲げられた周縁部を有し、
前記胴部の下部折り返し部は、前記底面部の周縁部の先端と、前記胴部の下端部の先端とが突合わされた状態で、さらに内側に折られて、容器の脚部を形成しており、
前記胴部の下端部と、前記底面部の周縁部と、前記脚部とが、底面部の下面に一体に密着シールされていることを特徴とするカップ型紙容器。
【請求項２】
前記底面部は、金属箔層を含むことを特徴とする請求項１に記載のカップ型紙容器。
【請求項３】
前記胴部の下部折り返し部を内側に折り、容器の脚部を形成し、前記胴部の下端部と、前記底面部の周縁部と、前記脚部とを、底面部の下面に一体に密着シールする工程において、シールする各部を熱風によって加熱する予熱処理と、超音波による加熱圧着処理とを併用することを特徴とする請求項１に記載のカップ型紙容器の製造方法。
【請求項４】
前記胴部の下部折り返し部を内側に折り、容器の脚部を形成し、前記胴部の下端部と、前記底面部の周縁部と、前記脚部とを、底面部の下面に一体に密着シールする工程におい
て、シールする各部を熱風によって加熱する予熱処理と、高周波による加熱圧着処理とを併用することを特徴とする請求項２に記載のカップ型紙容器の製造方法。
【発明の詳細な説明】
【技術分野】
【０００１】
本発明は、食料品や飲料等を収納する紙容器に関し、特に冷凍保存や電子レンジによる加熱調理に適したカップ型紙容器およびその製造方法に関する。
【背景技術】
【０００２】
食料品や飲料を収納する容器としては、さまざまな材質のさまざまな形状の容器が用いられている。近年においては、地球環境保護意識の高まりを背景にして、再生産可能な資源である紙を用いた容器が特に注目されている。その中でもカップ形状の紙容器は、その使い易さや、作り易さから、本来の紙カップ用途の他に、各種の食料品、飲料等を収納する容器としても広く用いられている。
【０００３】
カップ形状の紙容器の一般的な形状としては、図１１（ａ）、（ｂ）に示したように胴部材（２００）と底面部材（３００）からなり、逆トレー状に成形した底面部材（３００）の周縁部（３１０）に、胴部材（２００）の下端部を巻き込んで加熱圧着して、ボトムスリーブ（２５０）を形成したものが一般的である。胴部材（２００）の上端部は、巻き込み成形後に潰してフランジ部（２３０）を形成し、別に準備した蓋材（図示せず）を剥離可能にシールして密封する。
【０００４】
このような上げ底状の紙容器に内容物を入れて電子レンジで加熱すると、胴部材（２００）の部分は内容物が直接接しているため、１００℃を超えて加熱されることはないが、ボトムスリーブ（２５０）の部分は、直接内容物に接していないため、電子レンジの特性によっては、１００℃以上にまで加熱されて、図１１（ｃ）に示したように「焦げ」（４００）を生じる現象が発生することがあった。
【０００５】
この「焦げ」の発生現象は、電子レンジの特性や、電子レンジ内の置場所などにも関係し、必ずしも常に発生するものではないが、これが、カップ型紙容器を電子レンジ加熱用途に積極的に使用できない理由ともなっていた。
【０００６】
特許文献１に記載された電子レンジ用紙カップは、この問題を解決するためになされたものであり、ボトムスリーブが形成されないようにするために、図１１（ｄ）に示したように、底面部材（３００）を逆トレー状に成形することなく平面状とし、胴部材（２００）も底面部材（３００）に巻込まずに、９０°に折り曲げて潰しただけにすることにより、ボトムスリーブが形成されないようにしたものである。
【先行技術文献】
【特許文献】
【０００７】
【特許文献１】特許第３９５３５８４号公報
【発明の概要】
【発明が解決しようとする課題】
【０００８】
特許文献１に記載された電子レンジ用紙カップは、ボトムスリーブが存在しないため、ボトムスリーブの焦げ現象は発生しないが、構造上、底面部材の端面が内容物に接触するため、水分の多い食品や、冷凍食品用に用いた場合に端面から水分が浸み込んで衛生上問題となる他、内容物を封入後にレトルト殺菌処理を施すことができなかった。
【０００９】
本発明の解決しようとする課題は、冷凍食品にも使用可能であり、電子レンジで直接加熱しても焦げが発生せず、さらに、レトルト殺菌処理も可能なカップ型紙容器およびその製造方法を提案するものである。
【課題を解決するための手段】
【００１０】
上記の課題を解決するための手段として、請求項１に記載の発明は、紙層と、この紙層の両面に設けられた熱可塑性樹脂層を有する胴部形成用ブランクから形成された筒状の胴部と；
紙層と、この紙層の両面に設けられた熱可塑性樹脂層を有し、前記胴部の下方の開口をシールする底面部と；
前記胴部の上方の開口をシールする蓋材と；
を備えたカップ型紙容器であって、
前記胴部形成用ブランクの紙層の側端縁は、該紙層の両面に設けられた前記熱可塑性樹脂層によって覆われており、
前記胴部は、前記胴部形成用ブランクの両側端縁同士が重ね合わされてシールされた胴部貼り合わせ部と、
前記胴部の下端部を内側に折り返すことにより形成された下部折り返し部と、
前記胴部の上端部を外側に１回半以上巻き込んでから平らに押し潰して形成されたフランジ部と、
を有し、
前記フランジ部と前記蓋材とは、開封可能にシールされており、
前記底面部は、下方に折り曲げられた周縁部を有し、
前記胴部の下部折り返し部は、前記底面部の周縁部の先端と、前記胴部の下端部の先端とが突合わされた状態で、さらに内側に折られて、容器の脚部を形成しており、
前記胴部の下端部と、前記底面部の周縁部と、前記脚部とが、底面部の下面に一体に密着シールされていることを特徴とするカップ型紙容器である。
【００１１】
また、請求項２に記載の発明は、前記底面部は、金属箔層を含むことを特徴とする請求項１に記載のカップ型紙容器である。
【００１２】
また、請求項３に記載の発明は、前記胴部の下部折り返し部を内側に折り、容器の脚部を形成し、前記胴部の下端部と、前記底面部の周縁部と、前記脚部とを、底面部の下面に一体に密着シールする工程において、シールする各部を熱風によって加熱する予熱処理と、超音波による加熱圧着処理とを併用することを特徴とする請求項１に記載のカップ型紙容器の製造方法である。
【００１３】
また、請求項４に記載の発明は、前記胴部の下部折り返し部を内側に折り、容器の脚部を形成し、前記胴部の下端部と、前記底面部の周縁部と、前記脚部とを、底面部の下面に一体に密着シールする工程において、シールする各部を熱風によって加熱する予熱処理と、高周波による加熱圧着処理とを併用することを特徴とする請求項２に記載のカップ型紙容器の製造方法である。
【発明の効果】
【００１４】
本発明に係るカップ型紙容器は、底面の構造が、胴部の下端部を内側に折り込んでから密着シールした構造であるため、底面が平面状であり、ボトムスリーブが存在しない。このため電子レンジで加熱した時に、焦げが発生することがない。
【００１５】
また紙層のすべての端面が熱可塑性樹脂層によって覆われているか、巻き込まれており、容器の内部にも外部にも紙層の端面が露出しない構造であるため、内容物を充填した後の包装体を冷凍保存したり、あるいはレトルト殺菌処理することが可能な紙容器とすることができる。また例えば冷凍保存した包装体を鍋に入れた湯で加熱するような調理方法も可能となる。
【００１６】
また胴部と底面部が紙層を含むものであるため、断熱性があり、このため金属缶やガラス瓶と比較して加熱時の取扱いにおいて、手が熱くないなどの長所がある。
【００１７】
請求項２に記載の発明によれば、底面部が、金属箔層を含むため、紙容器の製造時に高周波を用いた加熱方法を採用することができる。また包装体を電子レンジで加熱する際、底面が発熱するので、均一な加熱が可能となる。
【００１８】
請求項３または４に記載の発明によれば、容器の底面部を成形する際に、通常のホットエアーによる予熱に加えて、超音波または高周波による加熱を併用することにより、重なり合った厚い層を内部から均一に加熱することができる。このため、シール漏れのない紙容器を製造することができる。
【図面の簡単な説明】
【００１９】
【図１】図１は、本発明に係るカップ型紙容器の一参考態様を示した斜視図である。
【図２】図２（ａ）は、図１のＡ−Ａ’断面を示した断面模式図である。図２（ｂ）は、図２（ａ）における胴部の、また図２（ｃ）は、底面部のそれぞれ部分拡大断面模式図である。
【図３】図３（ａ）は、図１のＢ−Ｂ’断面を示した断面模式図である。図３（ｂ）は、図３（ａ）における胴部貼り合わせ部の部分拡大断面模式図である。
【図４】図４は、図１に示したカップ型紙容器の胴部形成用ブランクおよび底面部形成用ブランクを示した平面模式図である。
【図５】図５（ａ）、（ｂ）、（ｃ）は、図２（ａ）に示したカップ型紙容器の底面を成形する工程を示した説明図である。
【図６】図６（ａ）、（ｂ）、（ｃ）は、本発明に係るカップ型紙容器の一参考態様の胴部形成用ブランクを作成する方法の一例を示した説明図である。
【図７】図７は、本発明の請求項１に記載のカップ型紙容器の断面模式図である。
【図８】図８（ａ）、（ｂ）、（ｃ）は、図７に示したカップ型紙容器の底面を成形する工程を示した説明図である。
【図９】図９は、本発明の請求項２に係るカップ型紙容器の底面部の断面模式図である。
【図１０】図１０は、本発明に係るカップ型紙容器に用いる積層体の層構成の他の例を示した断面模式図である。
【図１１】図１１（ａ）は、従来のカップ状紙容器の構造を示した斜視説明図である。図１１（ｂ）は、図１１（ａ）に示した紙容器の部分断面模式図である。図１１（ｃ）は、ボトムスリーブ部に「焦げ」が発生した状態を示した斜視図である。図１１（ｄ）は、従来の他の形状の紙容器の部分断面模式図である。
【発明を実施するための形態】
【００２０】
図面に従って、本発明に係る紙容器について詳細に説明する。
図１は、本発明に係るカップ型紙容器（１）の一参考態様を示した斜視図である。また、図２（ａ）は、図１に示した紙容器（１）のＡ−Ａ’断面を示した断面模式図であり、本発明のカップ型紙容器（１）の一参考態様を示したものである。
図２（ｂ）は、胴部（２０）の、また図２（ｃ）は、底面部（３０）のそれぞれ部分拡大断面模式図である。また、図３（ａ）は、図１のＢ−Ｂ’断面を示した断面模式図である。図３（ｂ）は、図３（ａ）における胴部貼り合わせ部（２１ｃ）の部分拡大断面模式図である。また図４は、図１に示したカップ型紙容器の胴部形成用ブランク（２０ｂ）および底面部形成用ブランク（３０ｂ）を示した平面模式図である。また図５（ａ）、（ｂ）、（ｃ）は、図２（ａ）に示したカップ型紙容器の底面を成形する工程を示した説明図である。以下これらの図面を参照しながら説明する。
【００２１】
本発明に係る一参考態様のカップ型紙容器（１）は、紙層（２）と、この紙層（２）の両面に設けられた熱可塑性樹脂層（３ａ、３ｂ）を有する胴部形成用ブランク（２０ｂ）から形成された筒状の胴部（２０）と、紙層（２）と、この紙層（２）の両面に設けられた熱可塑性樹脂層（３ａ、３ｂ）を有し、胴部（２０）の下方の開口をシールする底面部（３０）と、胴部（２０）の上方の開口をシールする蓋材（１０）とを備えたカップ型紙容器である。
【００２２】
本発明に係る一参考態様のカップ型紙容器（１）において、胴部形成用ブランク（２０ｂ）の紙層の側端縁（２１ｅ）は、図３（ｂ）に示したように、紙層（２）の両面に設けられた熱可塑性樹脂層（３ａ、３ｂ）によって覆われていることを特徴とする。
【００２３】
胴部（２０）は、胴部形成用ブランク（２０ｂ）の両側端縁（２１ａ、２１ｂ）同士が重ね合わされてシールされた胴部貼り合わせ部（２１ｃ）と、胴部（２０）の下端部（２２）を内側に折り返すことにより形成された下部折り返し部（２２ａ）と、胴部（２０）の上端部（２３）を外側に１回半以上巻き込んでから平らに押し潰して形成されたフランジ部（２３ｆ）と、を有している。
【００２４】
フランジ部（２３ｆ）と蓋材（１０）とは、開封可能にシールされている。底面部（３０）は、下方に折り曲げられた周縁部（３１）を有し、胴部（２０）の下部折り返し部（２２ａ）は、底面部（３０）の周縁部（３１）が差し込まれた状態で、さらに内側に折られて、容器の脚部（２２ｂ）を形成している。
【００２５】
図５（ａ）、（ｂ）、（ｃ）は、図２（ａ）に示した本発明に係る一参考態様のカップ型紙容器（１）の底面を成形する工程を示した説明図である。
まず図５（ａ）に示したように、胴部（２０）の下端部（２２）を下部折り返し部（２２ａ）で内側に折り込んで、ここに逆トレー状に成形した底面部（３０）の周縁部（３１）を差し込む。
【００２６】
次に下部折り返し部（２２ａ）に、底面部の周縁部（３１）が差し込まれた状態で、図５（ｃ）に示したように、さらに内側に折り込んで、脚部（２２ｂ）を形成し、胴部の下端部（２２）と、底面部の周縁部（３１）と、脚部（２２ｂ）とを、底面部（３０）の下
面に一体に密着シールする。
【００２７】
この時、図５（ｂ）に示したように、底面部の周縁部（３１）と胴部の下端部（２２）とを一旦仮着させても良いし、図５（ｃ）に示した状態まで一気に圧着しても良い。
【００２８】
本願発明に係る一参考態様のカップ型紙容器（１）は、胴部（２０）の下端部（２２）と、底面部（３０）の周縁部（３１）と、脚部（２２ｂ）とが、底面部（３０）の下面に一体に密着シールされていることを特徴とする。
【００２９】
本発明に係る一参考態様のカップ型紙容器（１）は、底面が、胴部（２０）の下端部（２２）と、底面部（３０）の周縁部（３１）と、脚部（２２ｂ）とが、底面部（３０）の下面に一体に密着シールされている構造であるため、底面が平面状であり、通常の紙カップのようなボトムスリーブが存在しない。このため電子レンジで加熱した時に、焦げが発生することがない。
【００３０】
また、すべての紙層の端面は、熱可塑性樹脂層によって覆われているか、巻き込まれており、紙層の端面が紙容器の内部にも外部にも露出していないため、内容物を充填した後の包装体を冷凍保存したり、あるいはレトルト殺菌処理することが可能な紙容器とすることができる。また例えば冷凍保存した包装体を鍋に入れた湯で加熱するような調理方法も可能となる。
【００３１】
本発明に係るカップ型容器（１）は、少なくとも胴部（２０）と底面部（３０）が紙層（２）を含むものであるため、断熱性があり、このため金属缶やガラス瓶と比較して加熱時の取扱いにおいて、手が熱くないなどの長所がある。また内容物が冷めにくいという長所もある。
【００３２】
また、本発明に係る一参考態様のカップ型紙容器（１）は、基本的な形状が通常の紙カップと同様であるので、通常の紙カップ製造装置を利用して製造することができる。
但し、底面部（３０）を成形する際には、一度に４枚の積層体を一体に加熱シールする必要があるので、通常紙カップの成形において用いられる熱風による予熱のみでは、熱が不足する可能性があるため、これに加えて、超音波を用いたシール方法を併用することが望ましい。
【００３３】
図４に示した胴部形成用ブランク（２０ｂ）において、各コーナーの部分は、側端縁同士が貼り合わされて２重になり、さらに折り返されたり巻き込まれたりして何枚も重なることによって厚さが厚くなってしまうため、これを避ける意味から、各コーナーの部分に予め切欠きを設けることは、好ましいことである。
【００３４】
図６（ａ）、（ｂ）、（ｃ）は、本発明に係る一参考態様のカップ型紙容器（１）の胴部形成用ブランク（２０ｂ）を作成する方法の一例を示した説明図である。
まず図６（ａ）に示したように、印刷済み原紙のウェブ（２ｗ）に位置合わせをしながら長窓（６）を打抜いた後、表裏全面に熱可塑性樹脂層（３ａ、３ｂ）を設ける。長窓（６）の部分は、表裏面の熱可塑性樹脂層（３ａ、３ｂ）同士が接着した状態になる。
【００３５】
次に胴部形成用ブランク（２０ｂ）を打抜くが、この時、図６（ｂ）に示したように、ブランクの両側端に熱可塑性樹脂層のはみ出し部（３ｃ、３ｄ）が残るように打抜く。
次いで、図６（ｃ）に示したように、熱可塑性樹脂層のはみ出し部（３ｃ）を表側に、また熱可塑性樹脂層のはみ出し部（３ｄ）を裏側にそれぞれ折り返して熱圧着し、折り返した熱可塑性樹脂層（３ｈ）を形成することにより、胴部形成用ブランク（２０ｂ）の両側端の紙層側端縁（２１ｅ）が覆われることになる。
【００３６】
胴部形成用ブランク（２０ｂ）の側端縁（２１ａ）、（２１ｂ）の紙層側端縁（２１ｅ）を熱可塑性樹脂層（３ａ）、（３ｂ）によって覆う方法には、これ以外にもいくつかの方法があるが、特に制約されるものではない。
【００３７】
図７は、本発明の請求項１に記載のカップ型紙容器（１）の断面模式図である。また、図８（ａ）、（ｂ）、（ｃ）は、図７に示したカップ型紙容器（１）の底面を成形する工程を示した説明図である。
【００３８】
図７に示した実施態様においては、底面部（３０）は、下方に折り曲げられた周縁部（３１）を有し、胴部（２０）の下部折り返し部（２２ａ）は、底面部（３０）の周縁部（３１）の先端と、胴部（２０）の下端部（２２）の先端とが突合わされた状態で、さらに内側に折られて、容器の脚部（２２ｂ）を形成している。胴部（２０）の下端部（２２）と、底面部（３０）の周縁部（３１）と、脚部（２２ｂ）とが、底面部の下面に一体に密着シールされていることを特徴とする。
【００３９】
この時、図８（ｂ）に示したように、底面部の周縁部（３１）と胴部の下端部（２２）とを、胴部の脚部（２２ｂ）となる部分に一旦仮着させても良いし、図８（ｃ）に示した状態まで一気に圧着しても良い。
【００４０】
底面部（３０）の周縁部（３１）の先端と、胴部（２０）の下端部（２２）の先端とは、重ならないように留意すべきであり、もし部分的に重なりを生じると、この部分が厚くなって、他の部分のシール不良を誘発するので、むしろわずかに隙間が空く程度の方が、好ましい。
【００４１】
図９は、本発明の請求項２に係るカップ型紙容器（１）の底面部（３０）の断面模式図である。この実施態様においては、底面部（３０）が、金属箔層（５）を含むことを特徴とする。金属箔としては、アルミニウム箔が最も一般的である。金属箔層（５）の位置としては、図９のように、紙層（２）と容器の内側の熱可塑性樹脂層（３ｂ）との間でも良いし、紙層（２）と容器の外側の熱可塑性樹脂層（３ａ）との間でも良い。
【００４２】
底面部（３０）が、金属箔層（５）を含むことにより、底面部を成形する際に、従来の熱風による予熱に加えて、高周波を用いた加熱方法を併用することが可能となる。積層体の層中に金属箔が存在することにより、高周波が印加された時に積層体の内部から発熱するため、全体が均一に加熱され、シール不良の発生が抑えられ、安定した製品が得られる。
【００４３】
図１０は、本発明に係るカップ型紙容器（１）に用いる積層体の層構成の他の例を示した断面模式図である。本発明に係るカップ型紙容器（１）に用いる積層体としては、紙層（２）の表裏面に熱可塑性樹脂層（３ａ）、（３ｂ）を設けたものの他に、紙層（２）と容器の内面側の熱可塑性樹脂層（３ｂ）との間に、ガスバリア層（４）を設けたものでも良い。ガスバリア層（４）が存在することにより、容器に内容物を充填した後の保存性が向上する。ガスバリア層（４）の材質を適宜選択することにより、常温長期保存が可能な製品とすることも可能となる。
【００４４】
ガスバリア層（４）の材質としては、電子レンジによる加熱を前提として、ガスバリア性のプラスチックフィルムや無機酸化物蒸着フィルム等の、金属箔以外の材料を用いることが好ましい。
【００４５】
本発明に係る紙容器に用いる材料について説明する。紙層（２）としては、通常のカッ
プ原紙の他、白ボール紙、コートボール紙、アイボリー紙等の坪量１６０ｇ／ｍ２〜４００ｇ／ｍ２程度の紙が使用できる。
【００４６】
熱可塑性樹脂層（３ａ、３ｂ）としては、ポリオレフィン系樹脂が一般的に使用され、具体的には、低密度ポリエチレン、中密度ポリエチレン、直鎖状低密度ポリエチレン、エチレン・酢酸ビニル共重合体、エチレン・αオレフィン共重合体、エチレン−メタアクリル酸樹脂共重合体などのエチレン系樹脂や、ポリエチレンとポリブテンのブレンド樹脂や、ホモポリプロピレン、プロピレン・エチレンランダム共重合体、プロピレン・エチレンブロック共重合体、プロピレン・αオレフィン共重合体などのポリプロピレン系樹脂等が使用される。
【００４７】
蓋材（１０）に用いる材料としては、数種類の熱可塑性樹脂フィルムを組合わせた積層材料が用いられる。紙は、端面が露出した場合に、水が浸み込むので避けるべきである。熱可塑性樹脂フィルムの組合わせとしては、例えば透明延伸フィルム、ガスバリア性フィルム、シーラントフィルムの組合わせが可能である。
【００４８】
透明延伸フィルムとしては、ポリエチレンテレフタレート（ＰＥＴ）などのポリエステル樹脂フィルム、一軸延伸ポリプロピレン樹脂フィルム、二軸延伸ポリプロピレン（ＯＰＰ）樹脂フィルム、二軸延伸ポリアミド樹脂フィルム等のフィルム材料が挙げられるが、加工適性、耐熱性、基材強度などの観点からＰＥＴ樹脂フィルムは、好ましく使用できる。
【００４９】
ガスバリア性フィルムとしては、ポリ塩化ビニリデンフィルム、ポリビニルアルコールフィルム、エチレンビニルアルコール共重合体フィルム、ガスバリア性ナイロンフィルム、ガスバリア性ポリエチレンテレフタレートフィルム等のガスバリア性フィルムや、ＰＥＴフィルム等に酸化アルミニウムや酸化珪素等の無機酸化物を蒸着させた無機酸化物蒸着フィルム、あるいは、ポリ塩化ビニリデンコーティング、水溶性樹脂と無機層状化合物を含有する被膜や金属アルコキシドあるいはその加水分解物とイソシアネート化合物を反応させた被膜からなる樹脂層などのガスバリアコーティング層などを用いることができる。
【００５０】
シーラントフィルムとしては、単層でも多層でもよいが、シーラント層の最内面は、低密度ポリエチレン樹脂、直鎖状低密度ポリエチレン樹脂、エチレン−酢酸ビニル共重合体樹脂、エチレン−メタクリル酸共重合体樹脂、エチレン−アクリル酸共重合体樹脂などの酸コポリマー樹脂を主成分としたイージーピールシーラント樹脂層であることが好ましい。これらのシーラント層の素材は、いずれにしても被着体容器の少なくとも開口周縁部の接合面側の素材に応じて選択される。
【実施例】
【００５１】
以下本発明に係る紙容器について実施例に基づいて説明するが、本発明に係る紙容器は、これらに限定されるものではない。
【００５２】
［参考例１］
坪量２６０ｇ／ｍ２のカップ原紙の表面に絵柄を印刷した後、表裏面に、押出機を用いて、厚さ３０μｍの低密度ポリエチレン（ＬＤＰＥ）層を形成した。これを抜型で打抜いて、図４に示したような胴部形成用ブランクと底面部形成用ブランクとを作成した。
【００５３】
得られたブランクを、改造したカップ成形機によって、図５に示したように底面部を成形し、図１、図２に見られるような形状の紙容器本体を作製した。成形時には、ホットエアーと超音波シール機を併用したので、シール不良もなく、シール状態は良好であった。
【００５４】
蓋材としては、ＬＤＰＥ、３０μｍ／ＰＥＴ、１２μｍ／延伸ナイロン、２５μｍ／ＬＤＰＥ、３０μｍの、紙を用いない構成とした。これを円形に打抜いて蓋材として準備した。
【００５５】
紙容器を通常のカップ充填ラインにのせ、液体を収納して蓋材を熱シールした後、冷凍保存した。
【００５６】
冷凍庫から取出した包装体の、蓋を一部開封し、電子レンジによって加熱すると、容器が破裂することもなく、また焦げが発生することもなかった。
【００５７】
［実施例１］
積層体の構成を内側から順にＬＤＰＥ、３０μｍ／２６０ｇカップ原紙／シリカ蒸着ＰＥＴ、１２μｍ／ＬＤＰＥ、３０μｍの構成とした。この積層体を用いてブランクを作成し、図７〜図８に示した構造の紙容器を成形した。なお蓋材としては、ＬＤＰＥ、３０μｍ／シリカ蒸着ＰＥＴ、１２μｍ／延伸ナイロン、２５μｍ／ＬＤＰＥ、３０μｍの構成のものを使用した。それ以外は、参考例１と同様である。
【００５８】
容器にポタージュスープを充填し、レトルト殺菌処理を行った。得られた包装体は、常温保存が可能であり、使用時には、蓋材を一部剥がして蒸気抜き孔を開けた後、直接電子レンジで加熱することができた。容器が破裂したり、焦げが発生することもなかった。
【００５９】
［実施例２］
底面部に用いる材料の構成を内側から順にＬＤＰＥ、３０μｍ／２６０ｇカップ原紙／アルミニウム箔、１２μｍ／ＬＤＰＥ、３０μｍの構成とした以外には、実施例１と同様の材料を用いて、カップ型紙容器を作製した。底面部の成形時には、ホットエアーによる予熱に加えて、高周波を用いた加熱を併用したので、底面部の成形状態は、シールむらもなく、シール状態は良好であった。
【００６０】
それ以外は、実施例１と同様にして包装体を作成した。得られた包装体は、レトルト殺菌が可能であり、常温保存が可能であった。また冷凍保存も可能であった。使用時の加熱についても、電子レンジによる直接加熱も可能であり、湯煎による加熱も可能であった。
【符号の説明】
【００６１】
１・・・カップ型紙容器
２・・・紙層
２ｗ・・・原紙のウェブ
３ａ、３ｂ・・・熱可塑性樹脂層
３ｃ、３ｄ・・・熱可塑性樹脂層のはみ出し部
４・・・ガスバリア層
５・・・金属箔層
６・・・長窓
１０・・・蓋材
２０・・・胴部
２０ｂ・・・胴部形成用部ブランク
２１ａ、２１ｂ・・・側端縁
２１ｃ・・・胴部貼り合わせ部
２１ｅ・・・紙層側端縁
２２・・・下端部
２２ａ・・・下部折り返し部
２２ｂ・・・脚部
２３・・・上端部
２３ｆ・・・フランジ部
３０・・・底面部
３０ｂ・・・底面部形成用ブランク
３１・・・周縁部
３２・・・折り返し部
２００・・・胴部材
２３０・・・フランジ部
２５０・・・ボトムスリーブ
２６０・・・脚部
３００・・・底面部材
３１０・・・周縁部
４００・・・焦げ
【図１】
0005776325.tif 000002
【図２】
0005776325.tif 000003
【図３】
0005776325.tif 000004
【図４】
0005776325.tif 000005
【図５】
0005776325.tif 000006
【図６】
0005776325.tif 000007
【図７】
0005776325.tif 000008
【図８】
0005776325.tif 000009
【図９】
0005776325.tif 000010
【図１０】
0005776325.tif 000011
【図１１】
0005776325.tif 000012